(57)【要約】      （修正有）【課題】誰でも簡単に係止することができ、しかも、係止片を形成しても安価な提供が可能な係止片付ファイルを提供する。【解決手段】合成樹脂製のシート１を二つ折りにしてファイルを形成する。一方のシート１の開口部２近傍に係止片３を設ける。他方のシート１に形成された係止部４に係止片３を挿入して書類止めとする。係止部４に、係止片３を係止せしめる直線状の係止用スリットを設ける。該係止用スリットのシート１中央がわに、係止片３の先端部を係止用スリットに誘導せしめる誘導エリアを形成する。誘導エリアに、前記係止用スリットに対して略直交する向きに設けられた導入スリットを設ける。該導入スリットの両側に設けられ係止用スリットに対して略扇状に広がる折込部を形成する。【選択図】図１
0003154922.tif 000002
【実用新案登録請求の範囲】
【請求項１】
合成樹脂製のシートを二つ折りにして形成され、一方のシートの開口部近傍に係止片を設け、他方のシートに形成された係止部に係止片を挿入して書類止めとするファイルにおいて、係止部は、係止片を係止せしめる直線状の係止用スリットと、該係止用スリットに隣接して係止片の先端部を係止用スリットに誘導せしめる誘導エリアとからなることを特徴とする係止片付ファイル。
【請求項２】
前記誘導エリアは、前記係止用スリットに対して略直交する向きに設けられた導入スリットと、該導入スリットの両側に設けられ係止用スリットに対して略扇状に広がる折込部とで形成された請求項１記載の係止片付ファイル。
【請求項３】
前記係止片は、一方のシートから切り起こされた係止本体と、該係止本体の先端部から切り起こされた係止突片とで形成され、該係止突片を前記係止用スリットに係止するように設けた請求項１記載の係止片付ファイル。
【考案の詳細な説明】
【技術分野】
【０００１】
本考案は、合成樹脂シートを二つ折りにして形成されたファイルの改良に係り、特に、書類の脱落を防止する係止片を備えた係止片付ファイルに関するものである。
【背景技術】
【０００２】
合成樹脂シートを二つ折り状に形成したファイルにおいて、書類の脱落を防止する手段が種々提案されている。例えば、特許文献１に記載されているプラスチック製ファイルでは、一方のシートの外側面にファイル係止用片を突設し、他方のシートに形成したラインカット部に、このファイル係止用片を挿入してファイルの開口部を閉じようとするものである。
【０００３】
また、特許文献２に記載されているファイルにおいても、一方のシートの外側面に舌状部を突設し、該舌状部の両側に耳片を形成すると共に、この耳片を挿入せしめる切り込みを他方のシートに設けたものである。このファイルにおいても、切り込みに耳片を挿入することで、舌状部がファイルの開口部を閉じるように構成されている。
【先行技術文献】
【特許文献】
【０００４】
【特許文献１】特開２００３−１９８８８号公報
【特許文献２】実用新案登録第３０４８３９９号公報
【考案の概要】
【考案が解決しようとする課題】
【０００５】
ところが、前記ファイルのいずれにおいても、一方のシートに形成したファイル係止用片や耳片からなる係止片を、他方のシートに形成したラインカット部や切り込みに挿し込み係止する操作が、思いのほか困難な操作になり、手間を要するものであった。
【０００６】
すなわち、いずれの係止片も、いわば線状を成した切り込み部分に係止片を挿し込む構成なので、係止片の先端を挿し込む最初のきっかけを見つけることが困難になっている。例えば、図７に示すように、係止片１００の先端が切り込み部分２００のラインに沿っていなければ、決してこの先端を差し込むことはできない。しかも、この先端が切り込み部分２００のラインに沿った位置にあったとしても、係止片１００の挿入角度が切り込みに対して略直交する角度で挿入しないと、係止片１００の先端が切り込み部分のラインから外れてしまうおそれがある（図８参照）。
【０００７】
このように、従来の係止片を切り込み部分に挿入する場合、係止片の先端を切り込み部分のラインに沿った位置に保ち、且つ、切り込みに対して略直交する角度で挿入しなければならないことが、困難な操作になり、手間を要する原因になっていた。
【０００８】
また、従来のファイルの係止片１００は、いずれも一方のシートの端部から突出するように形成したものであるから、係止片１００のないファイルに比べて接着工程が増加したり歩止まりが悪くなったりする（図６参照）。したがって、書類の脱落を防止するファイルを製造する場合、製造コストが高くなる不都合があった。
【０００９】
そこで本考案は、上述の課題を解消すべく案出されたもので、誰でも簡単に係止することができ、しかも、係止片を形成しても安価な提供が可能な係止片付ファイルの提供を目的とするものである。
【課題を解決するための手段】
【００１０】
上述の目的を達成すべく本考案における第１の手段は、合成樹脂製のシート１を二つ折りにして形成され、一方のシート１の開口部２近傍に係止片３を設け、他方のシート１に形成された係止部４に係止片３を挿入して書類止めとするファイルにおいて、係止部４は、係止片３を係止せしめる直線状の係止用スリット４Ａと、該係止用スリット４Ａに隣接して係止片３の先端部を係止用スリット４Ａに誘導せしめる誘導エリア４Ｂとからなる。
【００１１】
第２の手段の前記誘導エリア４Ｂは、前記係止用スリット４Ａに対して略直交する向きに設けられた導入スリット４Ｂａと、該導入スリット４Ｂａの両側に設けられ係止用スリット４Ａに対して略扇状に広がる折込部４Ｂｂとで形成されている。
【００１２】
第３の手段の前記係止片３は、一方のシート１から切り起こされた係止本体３Ａと、該係止本体３Ａの先端部から切り起こされた係止突片３Ｂとで形成され、該係止突片３Ｂを前記係止用スリット４Ａに係止するように設けたことを課題解消のための手段とする。
【考案の効果】
【００１３】
本考案の請求項１の如く、係止片３を係止せしめる直線状の係止用スリット４Ａと、該係止用スリット４Ａに隣接して係止片３の先端部を係止用スリット４Ａに誘導せしめる誘導エリア４Ｂとで係止部４を構成したことにより、係止片３を係止用スリット４Ａに係止する際に、係止片３の先端が誘導エリア４Ｂから係止用スリット４Ａに導入されるので、係止片３の挿し込み操作が極めて簡単に行えるものになった。この結果、従来のように、係止片の先端を切り込み部分のラインに沿った位置を保ち、且つ、切り込みに対して略直交する角度で挿入しなければならないといった面倒な操作は一切必要なくなった。
【００１４】
請求項２のように、誘導エリア４Ｂは、前記係止用スリット４Ａに対して略直交する向きに設けられた導入スリット４Ｂａと、該導入スリット４Ｂａの両側に設けられ係止用スリット４Ａに対して略扇状に広がる折込部４Ｂｂとで形成されているので、この誘導エリア４Ｂに係止片３の先端部を押し付けると、導入スリット４Ｂａが開くと共に、折込部４Ｂｂに沿って係止片３の先端部が導入スリット４Ｂａに導入される。この結果、係止片３の先端角度や位置が一定でなくても簡単に導入スリット４Ｂａに係止することができるものである。
【００１５】
請求項３のように、係止片３は、一方のシート１から切り起こされた係止本体３Ａと、該係止本体３Ａの先端部から切り起こされた係止突片３Ｂとで形成され、該係止突片３Ｂを前記係止用スリット４Ａに係止するように設けているので、この係止片３は、シート１を形成する際に、特に別途貼り付けたり延長したりせずに形成することができる。したがって、従来のファイルのように、接着工程が増加したり歩止まりが悪くなったりしてファイルのコストが高くなるといった不都合は解消された。
【図面の簡単な説明】
【００１６】
【図１】本考案の一実施例を示す斜視図である。
【図２】本考案の使用状態を示す要部斜視図である。
【図３】本考案の使用状態を示す要部断面図である。
【図４】本考案の係止片の一実施例を示す斜視図である。
【図５】本考案の収納部の一実施例を示す平面図である。
【図６】従来のファイルの一実施例を示す斜視図である。
【図７】従来のファイルの使用状態を示す要部斜視図である。
【図８】従来のファイルの使用状態を示す要部断面図である。
【考案を実施するための形態】
【００１７】
このように本考案によると、誰でも簡単に係止することができ、しかも、係止片を形成しても安価な提供が可能になるといった目的を実現した。
【実施例】
【００１８】
以下、本考案の一実施例を説明する。本考案は、合成樹脂製のシート１を二つ折りにして形成されたファイルに関するものである。具体的には、二つ折りにしたシート１の底部１Ｃを接合し、上部１Ａと側部１Ｂとが開口しているファイルである（図１参照）。
【００１９】
このようなファイルの一方のシート１の開口部２近傍に係止片３を設け、他方のシート１に形成された係止部４に係止片３を挿入する。通常この係止片３は、ファイルの側部１Ｂに位置する開口部２の近傍に設けられるが、上部１Ａの開口部２に設けることも可能である。
【００２０】
係止片３は、係止本体３Ａと係止突片３Ｂとから成る（図２参照）。係止本体３Ａは、一方のシート１から切り起こされた部材で、図示例では略短冊状に形成している（図４参照）。そして、この係止本体３Ａの先端部を切り起こして係止突片３Ｂを形成している。また、係止本体３Ａの長手中央部分には、開口部２の形状に沿って屈曲する複数本の屈曲部３Ｃを形成している（図２参照）。
【００２１】
この係止突片３Ｂは、係止用スリット４Ａに係止するもので、図示では略円弧形状の切り込みで形成され、この切り込み部分を係止本体３Ａから起こして突出した部分が係止突片３Ｂとなる（図２参照）。このように係止突片３Ｂを突出した略円弧形状に形成することで、後述する誘導エリア４Ｂに誘導され易い形状となっている。
【００２２】
本考案の係止部４は、更に係止用スリット４Ａと誘導エリア４Ｂとからなる（図５参照）。係止用スリット４Ａは、係止片３の係止突片３Ｂを挿入せしめる直線状の切り込み部分で、この係止用スリット４Ａに係止片３が係止されるものである。
【００２３】
一方、誘導エリア４Ｂは、係止用スリット４Ａに隣接して係止片３の先端部を係止用スリット４Ａに誘導せしめる部位をいう。この誘導エリア４Ｂは、更に、係止用スリット４Ａに対して略直交する向きに設けられた導入スリット４Ｂａと、該導入スリット４Ｂａの両側に設けられ係止用スリット４Ａに対して略扇状に広がる折込部４Ｂｂとで形成されている（図５参照）。
【００２４】
図示例の係止部４は、係止用スリット４Ａと誘導エリア４Ｂとで平面略二等辺三角形状に形成している（図５参照）。すなわち、二つの斜辺から底辺までを誘導エリア４Ｂとして形成し、二等辺三角形の底辺を係止用スリット４Ａとして形成したものである。この場合、二つの斜辺を折込部４Ｂｂとし、この折込部４Ｂｂの頂点と底辺の係止用スリット４Ａの中央部とを結ぶ位置に導入スリット４Ｂａを形成したものである。
【００２５】
このような誘導エリア４Ｂによると、係止突片３Ｂが誘導エリア４Ｂに接触すると、係止突片３Ｂが導入スリット４Ｂａから折込部４Ｂｂを押し下げながら、次第に係止用スリット４Ａに接近して行く（図３参照）。そして、折込部４Ｂｂに沿って行き着いたところが係止用スリット４Ａとなり、そのまま係止突片３Ｂを係止用スリット４Ａ内に挿し込み係止させることができる。
【００２６】
したがって、本考案係止片３を係止部４に係止する操作としては、係止本体３Ａの先端から係止突片３Ｂを起こした状態で、この係止突片３Ｂを誘導エリア４Ｂに近づけて押し込むだけの操作で自動的に係止用スリット４Ａに当接し、そのまま係止用スリット４Ａ内に差し込むことが可能になるのである（図３参照）。
【００２７】
尚、本考案は、図示例に限定されるものではなく、本考案の各構成は本考案の要旨を変更しない範囲において自由に変更できるものである。
【産業上の利用可能性】
【００２８】
本考案によると、係止片付ファイルのみならず、各種の表紙を係止するための係止片付表紙などとしても使用することができる。
【符号の説明】
【００２９】
１  シート
１Ａ  上部
１Ｂ  側部
１Ｃ  底部
２  開口部
３  係止片
３Ａ  係止本体
３Ｂ  係止突片
３Ｃ  屈曲部
４  係止部
４Ａ  係止用スリット
４Ｂ  誘導エリア
４Ｂａ  導入スリット
４Ｂｂ  折込部
１００  係止片
２００  切り込み部分
【図１】
0003154922.tif 000003
【図２】
0003154922.tif 000004
【図３】
0003154922.tif 000005
【図４】
0003154922.tif 000006
【図５】
0003154922.tif 000007
【図６】
0003154922.tif 000008
【図７】
0003154922.tif 000009
【図８】
0003154922.tif 000010